(57)【要約】【課題】テレビのエリア設定ができる。【解決手段】位置情報取得部は、携帯電話装置の位置を示す位置情報を取得する。電話網通信部は、位置情報取得部が取得した位置情報をサーバへ送信し、当該位置情報が示す位置に対応する放送エリアに関する情報をサーバから受信する。エリア設定部は、電話網通信部が受信した放送エリアに関する情報に基づいて、放送エリアの設定を行う。【選択図】図２
2013223121.tif 000002
【特許請求の範囲】
【請求項１】
移動局装置と情報処理装置とを具備するエリア設定システムにおいて、
前記情報処理装置は、
位置情報と放送エリアを示す放送エリア情報が対応付けられた位置エリア情報を記憶する記憶部と、
前記移動局装置の位置を示す位置情報と前記位置エリア情報に基づいて、当該移動局装置が位置する放送エリアを決定するエリア決定部と、
前記エリア決定部が決定した放送エリアに関する情報を送信する第１通信部と、
を備え、
前記移動局装置は、
前記移動局装置の位置を示す位置情報を取得する位置情報取得部と、
前記位置情報取得部が取得した位置情報を前記情報処理装置へ送信し、前記放送エリアに関する情報を前記情報処理装置から受信する第２通信部と、
前記第２通信部が受信した放送エリアに関する情報に基づいて、放送エリアの設定を行うエリア設定部と、
を備えることを特徴とするエリア設定システム。
【請求項２】
前記移動局装置は、
通信を行うセルが変わったことを検出するセル検出部を備え、
前記位置情報取得部は、前記セル検出部がセルが変わったことを検出した場合に、前記移動局装置の位置を示す位置情報を取得することを特徴とする請求項１に記載のエリア設定システム。
【請求項３】
前記移動局装置は、
前記セル検出部がセルが変わったことを検出した場合に、前記放送エリアを識別するエリア識別情報を取得するエリア識別情報取得部を備え、
前記位置情報取得部は、前記エリア識別情報取得部が取得したエリア識別情報が前に前記エリア識別情報取得部が取得したエリア識別情報から変わったことを検出した場合に、前記移動局装置の位置を示す位置情報を取得することを特徴とする請求項２に記載のエリア設定システム。
【請求項４】
前記記憶部は、前記放送エリア情報と、当該放送エリア情報が示す放送エリアで放送する放送局の一覧を示す放送局リストと、が対応付けられたエリア設定情報を記憶し、
前記第１通信部は、前記エリア決定部が決定した放送エリアで放送する放送局リストを送信し、
前記第２通信部は、前記放送局リストを前記情報処理装置から受信し、
前記エリア設定部は、前記第２通信部が受信した放送局リストの一覧の放送局から放送を受信できるように、放送エリアの設定を行うことを特徴とする請求項１から請求項３のいずれか一項に記載のエリア設定システム。
【請求項５】
前記位置情報は、緯度及び経度を示す情報であることを特徴とする請求項１から請求項４のいずれか一項に記載のエリア設定システム。
【請求項６】
位置情報と放送エリアを示す放送エリア情報が対応付けられた位置エリア情報を記憶する記憶部と、
移動局装置の位置を示す位置情報と前記位置エリア情報に基づいて、当該移動局装置が位置する放送エリアを決定するエリア決定部と、
前記エリア決定部が決定した放送エリアに関する情報を送信する第１通信部と、
を備える情報処理装置。
【請求項７】
移動局装置の位置を示す位置情報を取得する位置情報取得部と、
前記位置情報取得部が取得した位置情報を情報処理装置へ送信し、当該位置情報が示す位置に対応する放送エリアに関する情報を前記情報処理装置から受信する第２通信部と、
前記第２通信部が受信した放送エリアに関する情報に基づいて、放送エリアの設定を行うエリア設定部と、
を備えることを特徴とする移動局装置。
【請求項８】
情報処理装置における情報処理方法おいて、
エリア決定部が、位置情報と放送エリアを示す放送エリア情報が対応付けられた位置エリア情報を記憶部から読み出し、移動局装置の位置を示す位置情報と前記位置エリア情報に基づいて、当該移動局装置が位置する放送エリアを決定するエリア決定過程と、
第１通信部が、前記エリア決定過程で決定された放送エリアに関する情報を送信する第１通信過程と、
を有する情報処理方法。
【請求項９】
移動局装置におけるエリア設定方法おいて、
位置情報取得部が、移動局装置の位置を示す位置情報を取得する位置情報取得過程と、
第２通信部が、前記位置情報取得過程で取得された位置情報を情報処理装置へ送信し、当該位置情報が示す位置に対応する放送エリアに関する情報を前記情報処理装置から受信する第２通信過程と、
エリア設定部が、前記第２通信過程で受信された放送エリアに関する情報に基づいて、放送エリアの設定を行うエリア設定過程と、
を有することを特徴とするエリア設定方法。
【請求項１０】
コンピュータに、
位置情報と放送エリアを示す放送エリア情報が対応付けられた位置エリア情報を記憶部から読み出し、移動局装置の位置を示す位置情報と前記位置エリア情報に基づいて、当該移動局装置が位置する放送エリアを決定するエリア決定手順、
前記エリア決定手順で決定された放送エリアに関する情報を送信する第１通信手順、
を実行させるためのプログラム。
【請求項１１】
コンピュータに、
移動局装置の位置を示す位置情報を取得する位置情報取得手段、
前記位置情報取得手段で取得された位置情報を情報処理装置へ送信し、当該位置情報が示す位置に対応する放送エリアに関する情報を前記情報処理装置から受信する第２通信手段、
前記第２通信手段で受信された放送エリアに関する情報に基づいて、放送エリアの設定を行うエリア設定手段、
を実行させるためのプログラム。
【発明の詳細な説明】
【技術分野】
【０００１】
本発明は、エリア設定システム、情報処理装置、移動局装置、情報処理方法、エリア設定方法、及びプログラムに関する。
【背景技術】
【０００２】
近年、ユーザは、移動中でも、テレビ（テレビ受像機）を用いて映像を視聴できる。例えば、テレビは携帯電話装置に内臓され、ユーザは携帯電話装置を用いて映像を視聴する。また、テレビはカーナビゲーション装置に内臓され車に搭載される。ユーザは、車で移動中にテレビで映像を視聴する。
ところで、デジタル放送では、エリア毎に、放送局や放送局が用いる周波数等の設定（エリア設定とも称する）が異なる。ユーザーが移動してエリアが変わった場合に、エリア設定を行う技術として、特許文献１、２記載の技術が知られている。
【０００３】
特許文献１には、放送受信部による放送の受信中、受信レベルが予め定めた第１のレベルより低下したことを検出したとき、現在日時がエリア切替パターンの時間的条件に合致するか否かをチェックし、合致する場合には位置検出手段により現在位置を検出し、この検出された現在位置がエリア切替パターンの位置的条件に合致するか否かをチェックし、合致する場合に、エリア切替パターンに応じてエリア設定を切り替えることが記載されている。
特許文献２には、ＧＰＳの示す位置が放送エリア変更地域を示している場合に、共通チャンネルのスキャンを開始させることが記載されている。また、特許文献２には、共通チャンネルからデコードしたエリアコードと現在のエリアコードとが異なっている場合にインクリメントされており、このエリアコード検出カウンタの値が所定の閾値以上である場合には、エリアが更新されたと判断してチャンネル切り替え処理を行うことが記載されている。
【先行技術文献】
【特許文献】
【０００４】
【特許文献１】特開２００８−２５９０９２号公報
【特許文献２】特開２００７−１５９１６２号公報
【発明の概要】
【発明が解決しようとする課題】
【０００５】
しかしながら、特許文献１記載の技術では、テレビで映像を視聴しているときにその受信レベルを検出するので、映像を視聴していない場合に、エリア設定を切り替えることができないという問題があった。また、特許文献２記載の技術では、位置が放送エリア変更地域を示しているか否かを予め記憶する必要があり、十分な記憶領域を持たない装置では、エリア設定を切り替えることができないという問題があった。
さらに、特許文献１、２記載の技術では、テレビは、複数のテレビ塔から、異なる情報を受信する場合がある。例えば、複数のテレビ塔で異なるエリアコードを送信している場合、テレビは、どちらのエリアコードが正しいのか判定できず、エリア設定を切り替えることができないという問題があった。
以上のように、特許文献１記載の技術では、テレビのエリア設定ができないという問題があった。
【０００６】
本発明は上記の点に鑑みてなされたものであり、テレビのエリア設定ができるエリア設定システム、情報処理装置、移動局装置、情報処理方法、エリア設定方法、及びプログラムを提供する。
【課題を解決するための手段】
【０００７】
（１）本発明は上記の課題を解決するためになされたものであり、本発明の一態様は、移動局装置と情報処理装置とを具備するエリア設定システムにおいて、前記情報処理装置は、位置情報と放送エリアを示す放送エリア情報が対応付けられた位置エリア情報を記憶する記憶部と、前記移動局装置の位置を示す位置情報と前記位置エリア情報に基づいて、当該移動局装置が位置する放送エリアを決定するエリア決定部と、前記エリア決定部が決定した放送エリアに関する情報を送信する第１通信部と、を備え、前記移動局装置は、前記移動局装置の位置を示す位置情報を取得する位置情報取得部と、前記位置情報取得部が取得した位置情報を前記情報処理装置へ送信し、前記放送エリアに関する情報を前記情報処理装置から受信する第２通信部と、前記第２通信部が受信した放送エリアに関する情報に基づいて、放送エリアの設定を行うエリア設定部と、を備えることを特徴とするエリア設定システムである。
【０００８】
（２）また、本発明の一態様は、上記のエリア設定システムにおいて、前記移動局装置は、通信を行うセルが変わったことを検出するセル検出部を備え、前記位置情報取得部は、前記セル検出部がセルが変わったことを検出した場合に、前記移動局装置の位置を示す位置情報を取得することを特徴とする。
【０００９】
（３）また、本発明の一態様は、上記のエリア設定システムにおいて、前記移動局装置は、前記セル検出部がセルが変わったことを検出した場合に、前記放送エリアを識別するエリア識別情報を取得するエリア識別情報取得部を備え、前記位置情報取得部は、前記エリア識別情報取得部が取得したエリア識別情報が前に前記エリア識別情報取得部が取得したエリア識別情報から変わったことを検出した場合に、前記移動局装置の位置を示す位置情報を取得することを特徴とする。
【００１０】
（４）また、本発明の一態様は、上記のエリア設定システムにおいて、前記記憶部は、前記放送エリア情報と、当該放送エリア情報が示す放送エリアで放送する放送局の一覧を示す放送局リストと、が対応付けられたエリア設定情報を記憶し、前記第１通信部は、前記エリア決定部が決定した放送エリアで放送する放送局リストを送信し、前記第２通信部は、前記放送局リストを前記情報処理装置から受信し、前記エリア設定部は、前記第２通信部が受信した放送局リストの一覧の放送局から放送を受信できるように、放送エリアの設定を行うことを特徴とする。
【００１１】
（５）また、本発明の一態様は、上記のエリア設定システムにおいて、前記位置情報は、緯度及び経度を示す情報であることを特徴とする。
【００１２】
（６）また、本発明の一態様は、位置情報と放送エリアを示す放送エリア情報が対応付けられた位置エリア情報を記憶する記憶部と、移動局装置の位置を示す位置情報と前記位置エリア情報に基づいて、当該移動局装置が位置する放送エリアを決定するエリア決定部と、前記エリア決定部が決定した放送エリアに関する情報を送信する第１通信部と、を備える情報処理装置である。
【００１３】
（７）また、本発明の一態様は、移動局装置の位置を示す位置情報を取得する位置情報取得部と、前記位置情報取得部が取得した位置情報を情報処理装置へ送信し、当該位置情報が示す位置に対応する放送エリアに関する情報を前記情報処理装置から受信する第２通信部と、前記第２通信部が受信した放送エリアに関する情報に基づいて、放送エリアの設定を行うエリア設定部と、を備えることを特徴とする移動局装置である。
【００１４】
（８）また、本発明の一態様は、情報処理装置における情報処理方法おいて、エリア決定部が、位置情報と放送エリアを示す放送エリア情報が対応付けられた位置エリア情報を記憶部から読み出し、移動局装置の位置を示す位置情報と前記位置エリア情報に基づいて、当該移動局装置が位置する放送エリアを決定するエリア決定過程と、第１通信部が、前記エリア決定過程で決定された放送エリアに関する情報を送信する第１通信過程と、を有する情報処理方法である。
【００１５】
（９）また、本発明の一態様は、移動局装置におけるエリア設定方法おいて、位置情報取得部が、移動局装置の位置を示す位置情報を取得する位置情報取得過程と、第２通信部が、前記位置情報取得過程で取得された位置情報を情報処理装置へ送信し、当該位置情報が示す位置に対応する放送エリアに関する情報を前記情報処理装置から受信する第２通信過程と、エリア設定部が、前記第２通信過程で受信された放送エリアに関する情報に基づいて、放送エリアの設定を行うエリア設定過程と、を有することを特徴とするエリア設定方法である。
【００１６】
（１０）また、本発明の一態様は、コンピュータに、位置情報と放送エリアを示す放送エリア情報が対応付けられた位置エリア情報を記憶部から読み出し、移動局装置の位置を示す位置情報と前記位置エリア情報に基づいて、当該移動局装置が位置する放送エリアを決定するエリア決定手順、前記エリア決定手順で決定された放送エリアに関する情報を送信する第１通信手順、を実行させるためのプログラムである。
【００１７】
（１１）また、本発明の一態様は、コンピュータに、移動局装置の位置を示す位置情報を取得する位置情報取得手段、前記位置情報取得手段で取得された位置情報を情報処理装置へ送信し、当該位置情報が示す位置に対応する放送エリアに関する情報を前記情報処理装置から受信する第２通信手段、前記第２通信手段で受信された放送エリアに関する情報に基づいて、放送エリアの設定を行うエリア設定手段、を実行させるためのプログラムである。
【発明の効果】
【００１８】
本発明によれば、テレビのエリア設定ができる。
【図面の簡単な説明】
【００１９】
【図１】本発明の実施形態に係る映像表示システムを示す概略図である。
【図２】本実施形態に係る携帯電話装置の構成を示す概略ブロック図である。
【図３】本実施形態に係る制御部の動作の一例を示すフローチャートである。
【図４】本実施形態に係るサーバの構成を示す概略ブロック図である。
【図５】本実施形態に係る位置エリア情報の一例を示す概略図である。
【図６】本実施形態に係る全エリア設定情報の一例を示す概略図である。
【発明を実施するための形態】
【００２０】
以下、図面を参照しながら本発明の実施形態について詳しく説明する。
図１は、本発明の実施形態に係る映像表示システム（エリア設定システム）を示す概略図である。
テレビ塔ｔ１は、テレビジョン放送の電波（テレビ電波と称する）を送信する塔である。衛星ｓ１１〜ｓ１３は、ＧＰＳ（全地球測位システム）衛星であり、時刻情報等を含む信号を送信する。基地局装置ｋ１は、携帯電話装置１（移動局装置）と無線通信を行う。基地局装置ｋ１は、サーバ２（情報処理装置）と接続され、携帯電話装置１とサーバ２との通信を中継する。
【００２１】
携帯電話装置１は、テレビ受信機を内臓した携帯電話である。携帯電話装置１は、基地局装置ｋ１から受信した電波から、セルＩＤを取得する。セルＩＤとは、セル、セクタ又は基地局装置を識別する情報である。例えば、携帯電話装置１が３Ｇ（第３世代移動通信システム）の通信を行う場合には、セルＩＤは、３ＧのセルＩＤとなる。携帯電話装置１は、取得したセルＩＤに基づいて、テレビ電波の受信を開始する。携帯電話装置１は、受信したテレビ電波からネットワークＩＤ（エリアＩＤやエリアコードとも称する）を取得する。携帯電話装置１は、取得したネットワークＩＤに基づいて、ＧＰＳ測位を開始する。携帯電話装置１は、ＧＰＳ測位によって、自装置の位置情報（緯度・経度情報）を取得し、取得した位置情報をサーバ２へ送信する。
【００２２】
サーバ２は、位置情報とエリア設定情報を対応付けた位置エリア設定情報（図４、５参照）を予め記憶する。ここで、エリア設定情報とは、テレビジョン放送の区域（エリアと称する）に、選択できる放送局やその放送局のチャンネルが対応付けられた情報である。なお、エリアは、ネットワークＩＤで識別される。サーバ２は、携帯電話装置１から受信した位置情報と位置エリア設定情報に基づいて、携帯電話装置１のエリア設定情報を決定し、決定したエリア設定情報を、携帯電話装置１へ送信する。
携帯電話装置１は、サーバ２から受信したエリア設定情報に基づいて、放送局やその放送局のチャンネル等を設定する（エリア設定と称する）。携帯電話装置１は、設定された放送局が選択されると、その放送局のチャンネルのテレビ電波を受信する。携帯電話装置１は、受信したテレビ電波に基づいて、映像を表示する。
【００２３】
図２は、本実施形態に係る携帯電話装置１の構成を示す概略ブロック図である。この図において、携帯電話装置１は、電話網通信部１０、通話部１１、測位部１２、テレビ受像部１３（テレビ受像機）、表示部１４、及び制御部１５を含んで構成される。
【００２４】
電話網通信部１０は、基地局装置ｋ１と通信を行う。電話網通信部１０は、基地局装置ｋ１から受信した電波から、セルＩＤを取得する。電話網通信部１０は、取得したセルＩＤを、通話部１１へ出力する。ここで、電話網通信部１０は、取得したセルＩＤが複数ある場合には、受信品質の最も高いセルのセルＩＤのみを、通話部１１へ出力してもよい。
通話部１１は、電話網通信部１０を介して、基地局装置ｋ１と音声信号を送受信する。通話部１１は、電話網通信部１０を介して基地局装置ｋ１から音声信号を受信する。通話部１１は、受信した音声信号に基づいて、スピーカーから音声を出力する。通話部１１は、マイクから入力された音声に基づいて音声信号を生成する。通話部１１は、生成した音声信号を、電話網通信部１０を介して基地局装置ｋ１へ送信する。
測位部１２は、制御部１５からの制御に従って、測位を行う。具体的には、測位部１２は、衛星ｓ１１〜ｓ１３から受信した信号に基づいて、携帯電話装置１の位置を計測することで、位置情報を生成する。測位部１２は、生成した位置情報を、位置情報取得部１５３へ出力する。
【００２５】
テレビ受像部１３は、ユーザによる操作又はネットワークＩＤ比較部１５２からの制御に従って、テレビ塔ｔ１からテレビ電波を受信する。テレビ受像部１３は、受信したテレビ電波からネットワークＩＤを取得し、取得したネットワークＩＤをネットワークＩＤ比較部１５２へ出力する。また、テレビ受像部１３は、エリア設定部１５５からのエリア設定を記憶し、記憶したエリア設定に従って、テレビ電波を受信する。例えば、テレビ受像部１３は、エリア設定に従って、チャンネルに対応する周波数を選択し、選択した周波数のテレビ電波を受信する。テレビ受像部１３は、受信したテレビ電波を復調することで、映像信号を生成する。テレビ受像部１３は、生成した映像信号を表示部１４へ出力する。
【００２６】
表示部１４は、テレビ受像部１３から入力された映像信号に基づいて、映像を表示する。
制御部１５は、セルＩＤ比較部１５１（セル検出部）、ネットワークＩＤ比較部１５２（エリア識別情報取得部）、位置情報取得部１５３、エリア設定情報取得部１５４、及びエリア設定部１５５を含んで構成される。
【００２７】
図３は、本実施形態に係る制御部１５の動作の一例を示すフローチャートである。
（ステップＳ１０１）セルＩＤ比較部１５１は、電話網通信部１０から入力されたセルＩＤを記憶する。セルＩＤ比較部１５１は、記憶したセルＩＤと、その後に入力されたセルＩＤと、が変わったか否かを判定する。例えば、セルＩＤ比較部１５１は、携帯電話装置１がハンドオーバした場合に、セルＩＤが変わったと判定する。すなわち、セルＩＤ比較部１５１は、通信を行うセルが変わったことを検出する。
セルＩＤが変わったと判定された場合（ＹＥＳ）、セルＩＤ比較部１５１はエリア比較要求をネットワークＩＤ比較部１５２に出力し、ステップＳ１０２へ進む。一方、セルＩＤが同じと判定された場合（ＮＯ）、ステップＳ１０１へ戻る。
【００２８】
（ステップＳ１０２）ネットワークＩＤ比較部１５２は、エリア比較要求に基づいて、テレビ受像部１３に対して、テレビ電波を受信させる制御を行う。ここで、ネットワークＩＤ比較部１５２は、テレビ受像部１３がテレビ電波を受信していない場合には、テレビ受像部１３を起動して、テレビ電波を受信させる。このとき、ネットワークＩＤ比較部１５２は、表示部１４に映像を表示させなくてもよい。テレビ受像部１３は、受信したテレビ電波からネットワークＩＤを取得する。ネットワークＩＤ比較部１５２は、テレビ受像部１３が取得したネットワークＩＤを取得する。すなわち、ネットワークＩＤ比較部１５２は、セルＩＤ比較部１５１がセルが変わったことを検出した場合に、ネットワークＩＤを取得する。このように、ネットワークＩＤ比較部１５２は、放送波のサーチを自動で実行する。その後、ステップＳ１０３へ進む。
【００２９】
（ステップＳ１０３）ネットワークＩＤ比較部１５２は、エリア設定をされたネットワークＩＤと、ステップＳ１０２で取得したネットワークＩＤと、が同じか否かを判定する。つまり、ネットワークＩＤ比較部１５２は、エリアが変わったか否かを判定する。ネットワークＩＤが同じと判定された場合（ＹＥＳ）、ステップＳ１０１へ戻る。一方、ネットワークＩＤが変わったと判定された場合（ＮＯ）、ネットワークＩＤ比較部１５２が測位命令を測位部１２へ出力し、ステップＳ１０４へ進む。
【００３０】
（ステップＳ１０４）測位部１２は、測位命令に基づいて起動し、測位を行う。測位部１２は、測位の結果、位置情報を生成する。測位部１２は、生成した位置情報を位置情報取得部１５３へ出力する。つまり、制御部１５は、ＧＰＳ（測位部１２）を自動で起動し、緯度・経度情報を取得する。その後、ステップＳ１０５へ進む。
（ステップＳ１０５）位置情報取得部１５３は、測位部１２から位置情報を取得する。すなわち、位置情報取得部１５３は、セルＩＤ比較部１５１がセルが変わったことを検出した場合に（ステップＳ１０１でＹＥＳ）、携帯電話装置１の位置を示す位置情報を取得する。また、位置情報取得部１５３は、ネットワークＩＤ比較部１５２が取得したネットワークＩＤが前にネットワークＩＤ比較部１５２が取得したネットワークＩＤから変わったことを検出した場合に（ステップＳ１０３でＮＯ）、携帯電話装置１の位置を示す位置情報を取得する。
位置情報取得部１５３は、取得した位置情報を含むエリア設定情報要求を生成する。位置情報取得部１５３は、生成したエリア設定情報要求を、電話網通信部１０を介してサーバ２へ送信する。その後、エリア設定情報取得部１５４は、エリア設定情報を含むエリア設定情報応答を受信する。つまり、制御部１５は、サーバ２へアクセスし、緯度・経度情報からエリア設定情報を取得する。その後、ステップＳ１０６へ進む。
【００３１】
（ステップＳ１０６）エリア設定情報取得部１５４は、取得したエリア設定情報応答からエリア設定情報を抽出し、抽出したエリア設定情報をエリア設定部１５５へ出力する。エリア設定部１５５は、エリア設定情報取得部１５４から入力されたエリア設定情報に基づいて、テレビ受像部１３にエリア設定を行う。例えば、エリア設定部１５５は、エリア設定情報に含まれるネットワークＩＤを、テレビ受像部１３に設定する。つまり、制御部１５は、ステップＳ１０４で取得したエリア設定情報から自動でエリアを変更する。その後、ステップＳ１０７へ進む。
（ステップＳ１０７）エリア設定部１５５は、エリア設定を完了する。その後、ステップＳ１０１へ戻る。
【００３２】
図４は、本実施形態に係るサーバ２の構成を示す概略ブロック図である。この図において、サーバ２は、通信部２０、位置情報取得部２１１、エリア情報記憶部２１２、及び、エリア決定部２１３を含んで構成される。
【００３３】
通信部２０は、ネットワークを介して、基地局装置ｋ１と通信を行う。
位置情報取得部２１１は、通信部２０を介して、携帯電話装置１からのエリア設定情報要求を受信する。位置情報取得部２１１は、受信したエリア設定情報要求から位置情報を抽出する。つまり、位置情報取得部２１１は、携帯電話装置１の位置情報を取得する。位置情報取得部２１１は、抽出した位置情報を、エリア決定部２１３へ出力する。
【００３４】
エリア情報記憶部２１２は、位置エリア設定情報を記憶する。ここで、位置エリア設定情報とは、位置情報とエリア設定情報が対応付けられた情報である。例えば、位置エリア設定情報とは、位置エリア情報（図５）と全エリア設定情報（図６）である。位置エリア情報は、位置情報とネットワークＩＤが対応付けられた情報である。全エリア設定情報は、ネットワークＩＤとエリア設定情報が対応付けられた情報である。
【００３５】
エリア決定部２１３は、エリア情報記憶部２１２から位置エリア情報を読み出し、位置情報取得部２１１から入力された位置情報に対応するネットワークＩＤを選択する。エリア決定部２１３は、エリア情報記憶部２１２から全エリア設定情報を読み出し、選択したネットワークＩＤに対応するエリア設定情報を選択する。エリア決定部２１３は、選択したエリア設定情報を、携帯電話装置１が設定するエリア設定情報として決定する。エリア決定部２１３は、決定したエリア設定情報を含むエリア設定情報応答を、生成する。エリア決定部２１３は、生成したエリア設定情報応答を、通信部２０を介して、携帯電話装置１へ送信する。
【００３６】
図５は、本実施形態に係る位置エリア情報の一例を示す概略図である。図５において、位置エリア情報は、緯度及び経度とネットワークＩＤとが対応付けられた情報である。例えば、位置エリア情報は、緯度が「北緯ｙ１度〜北緯ｙ２度」の範囲にあり、経度が「東経ｘ１度〜東経ｘ２度」の範囲にある位置には、ネットワークＩＤ「１」が対応することを表す。
この位置エリア情報は、精度を上げると、データ量が膨大になる。その場合に、例えば、携帯電話装置１が位置エリア情報を記憶すると、携帯電話装置１各々のメモリ消費量も大きくなってしまう。本実施形態では、サーバ２が位置エリア情報を記憶するので、映像表示システムでは、携帯電話装置１のメモリ消費量が大きくなってしまうことを防止できる。
【００３７】
図６は、本実施形態に係る全エリア設定情報の一例を示す概略図である。図６において、全エリア設定情報は、ネットワークＩＤとエリア設定情報（番号、放送局、チャンネル）が対応付けられた情報である。ここで、番号は、例えば、携帯電話装置１の番号キーに対応する情報である。ユーザが番号キーを押下すると、携帯電話装置１は、その番号キーが示す番号を抽出する。携帯電話装置１は、抽出した番号に対応するチャネルから、対応する放送局のテレビ電波を受信する。
例えば、全エリア設定情報は、ネットワークＩＤ「１」には、次のエリア設定情報が対応することを表す。そのエリア設定情報とは、番号「１」が放送局「ＡＡＡ総合」及びチャンネル「２７ｃｈ」であり、番号「２」が放送局「ＡＡＡ総合」及びチャンネル「２７ｃｈ」である。
以上のように、サーバ２が位置エリア設定情報を記憶するので、映像表示システムでは、位置エリア設定情報が変更される場合でも、サーバ２の位置エリア設定情報を更新するだけで、位置エリア設定情報を変更できる。つまり、映像表示システムでは、携帯電話装置１各々が位置エリア設定情報を記憶し、位置エリア設定情報を更新する場合と比較して、位置エリア設定情報の変更に消費される負荷を軽減できる。また、映像表示システムでは、変更を迅速に反映できる。
【００３８】
以上のように、本実施形態では、サーバ２は、位置情報と放送エリアを示す放送エリア情報が対応付けられた位置エリア情報を記憶する。サーバ２は、携帯電話装置１の位置を示す位置情報と位置エリア情報に基づいて、この携帯電話装置１が位置する放送エリアを決定する。サーバ２は、決定した放送エリアのエリア設定情報を送信する。携帯電話装置１は、携帯電話装置１の位置を示す位置情報を取得する。携帯電話装置１は、取得した位置情報をサーバ２へ送信し、エリア設定情報をサーバ２から受信する。携帯電話装置１は、受信したエリア設定情報に基づいて、放送エリアの設定を行う。
これにより、映像表示システムは、テレビのエリア設定ができる。また、携帯電話装置１は、エリア設定情報を内蔵メモリに記憶しなくてもよく、メモリの使用量も少なくできる。また、サーバ２は、位置情報に基づいてエリアを決定するので１つのネットワークＩＤを選択でき、携帯電話装置１は、そのネットワークＩＤが示すエリアのエリア設定をすることができる。
【００３９】
また、本実施形態では、携帯電話装置１は、通信を行うセルが変わったことを検出する。携帯電話装置１は、セルが変わったことを検出した場合に、携帯電話装置１の位置を示す位置情報を取得する。これにより、携帯電話装置１は、例えば、携帯電話装置１でテレビが視聴されていないときでも、エリアが変わったときに自動でエリア設定できる。
また、携帯電話装置１は、セルが変わったことを検出した場合に、放送エリアを識別するネットワークＩＤを取得する。携帯電話装置１は、取得したネットワークＩＤが前に取得したネットワークＩＤから変わったことを検出した場合に、携帯電話装置１の位置を示す位置情報を取得する。これにより、携帯電話装置１は、例えば、セルが変わってもエリアが変わらない場合に、位置情報をサーバ２へ送信することを防止でき、通信負荷を軽減できる。
【００４０】
なお、上記実施形態において、サーバ２は、テレビ塔の位置を示す位置情報とテレビ塔に対応するエリア設定情報を予め記憶してもよい。サーバ２は、携帯電話装置１の位置を示す位置情報とテレビ塔の位置を示す位置情報とに基づいて、携帯電話装置１の位置と最も近い位置にあるテレビ塔を選択する。サーバ２は、選択したテレビ塔に対応するエリア設定情報を、携帯電話装置１へ送信する。携帯電話装置１は、サーバ２が送信したエリア設定情報に基づいて、エリア設定を行う。
【００４１】
また、上記実施形態において、サーバ２は、テレビ塔の位置を示す位置情報、テレビ塔の送信電力（最大送信電力、最大平均送信電力、又は、平均送信電力）を示す電力情報、及び、テレビ塔に対応するエリア設定情報を予め記憶してもよい。サーバ２は、記憶するこれらの情報に基づいて、携帯電話装置１の位置で、テレビ電波の電力が最大になるテレビ塔を選択する。例えば、サーバ２は、（テレビ塔の送信電力）／（携帯電話装置１とテレビ塔との距離）２を、算出し、算出した値が最大となるテレビ塔を選択する。サーバ２は、選択したテレビ塔に対応するエリア設定情報を、携帯電話装置１へ送信する。携帯電話装置１は、サーバ２が送信したエリア設定情報に基づいて、エリア設定を行う。
【００４２】
また、上記実施形態において、携帯電話装置１は、テレビ電波から複数のネットワークＩＤを取得した場合に、サーバ２へ携帯電話装置１の位置を示す位置情報を送信してもよい。携帯電話装置１は、取得した位置情報をサーバ２へ送信し、エリア設定情報をサーバ２から受信する。携帯電話装置１は、受信したエリア設定情報に基づいて、放送エリアの設定を行う。これにより、携帯電話装置１は、例えば、複数のテレビ塔から、異なるネットワークＩＤを含むテレビ電波を受信した場合に、どちらのネットワークＩＤが示すエリアを選択できる。
【００４３】
なお、上記実施形態において、エリア設定情報（放送エリアに関する情報）には、番号、放送局、及びチャンネルが含まれる場合について説明をした。しかし本発明はこれに限らず、その他の情報、例えば、エリア名等のエリアを表す情報を含んでもよい。
【００４４】
なお、上述した実施形態における携帯電話装置１又はサーバ２の一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、携帯電話装置１又はサーバ２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における携帯電話装置１及びサーバ２の一部、または全部を、ＬＳＩ（Ｌａｒｇｅ  Ｓｃａｌｅ  Ｉｎｔｅｇｒａｔｉｏｎ）等の集積回路として実現しても良い。携帯電話装置１及びサーバ２の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４６】
１・・・携帯電話装置（移動局装置）、２・・・サーバ（情報処理装置）、ｓ１１〜ｓ１３・・・衛星、ｔ１・・・テレビ塔、ｋ１・・・基地局装置、１０・・・電話網通信部、１１・・・通話部、１２・・・測位部、１３・・・テレビ受像部、１４・・・表示部、１５・・・制御部、１５１・・・セルＩＤ比較部（セル検出部）、１５２・・・ネットワークＩＤ比較部（エリア識別情報取得部）、１５３・・・位置情報取得部、１５４・・・エリア設定情報取得部、１５５・・・エリア設定部、２０・・・通信部、２１１・・・位置情報取得部、２１２・・・エリア情報記憶部、２１３・・・エリア決定部
【図１】
2013223121.tif 000003
【図２】
2013223121.tif 000004
【図３】
2013223121.tif 000005
【図４】
2013223121.tif 000006
【図５】
2013223121.tif 000007
【図６】
2013223121.tif 000008